(57)【要約】【課題】  組み立てや解体が簡単に行えるシャワー装置を提供する。【解決手段】  組み立て式シャワー装置は、縦支柱と、前縦支柱と連結される横支柱とで形成される直方体空間を備える。直方体空間は、上面が開口し、側面が外壁用防水シート又は第１カーテンで覆われ、間仕切り用防水シートで複数の区画に間仕切りされる。直方体空間には、３つの側面が外壁用防水シート又は間仕切り用防水シートで、１つの側面が第２カーテンで囲まれシャワー室として使用される第１空間と、１つの側面が第２カーテンで、対向する１対の側面が外壁用防水シート又は間仕切り用防水シートで、第２カーテンに対向する側面が第１カーテンで囲まれ脱衣場として使用される第２空間との組み合わせが一方向に複数個並べられたものが１列以上設けられ、直方体空間は、屋根があるテントの下に設けられる。【選択図】図２
2012122318.tif 000002
【特許請求の範囲】
【請求項１】
縦支柱と、前記縦支柱と連結される横支柱とで形成される直方体空間を備え、
前記直方体空間は、上面が開口し、側面が外壁用防水シート又は第１カーテンで覆われ、間仕切り用防水シートで複数の区画に間仕切りされ、
前記直方体空間には、３つの側面が前記外壁用防水シート又は前記間仕切り用防水シートで、１つの側面が第２カーテンで囲まれシャワー室として使用される第１空間と、１つの側面が前記第２カーテンで、対向する１対の側面が前記外壁用防水シート又は前記間仕切り用防水シートで、前記第２カーテンに対向する側面が前記第１カーテンで囲まれ脱衣場として使用される第２空間との組み合わせが一方向に複数個並べられたものが１列以上設けられ、
前記直方体空間は、屋根があるテントの下に設けられることを特徴とする組み立て式シャワー装置。
【請求項２】
前記直方体空間の床面には、前記脱衣場よりも前記シャワー室が低く、前記シャワー室の一方の外側が他方の外側か若しくは中央部のシャワー室よりも低くなるような傾斜をつけた形状を有する床面部の上に、防水シートが敷かれることを特徴とする請求項１に記載の組み立て式シャワー装置。
【請求項３】
前記シャワー室に、冷水又は温水を供給するポンプと湯沸かし器を更に備えることを特徴とする請求項１に記載の組み立て式シャワー装置。
【請求項４】
縦支柱と、前記縦支柱と連結される横支柱とで形成される直方体空間を備え、
前記直方体空間は、上面が開口し、側面が外壁用防水シート又は第１カーテン又は前記第１カーテンに平行な第２カーテンで覆われ、間仕切り用防水シートで複数の区画に間仕切りされ、
前記直方体空間には、対向する１対の側面が前記外壁用防水シート又は前記間仕切り用防水シートで、対向する１対の側面の一方が前記第１カーテンと平行な第３カーテンで、他方が前記第１カーテンと平行な第４カーテンで囲まれシャワー室として使用される第１空間と、１つの側面が前記第１カーテンで、対向する１対の側面が前記外壁用防水シート又は前記間仕切り用防水シートで、前記第１カーテンに対向する側面が前記第３カーテンで囲まれ脱衣場として使用される第２空間と、１つの側面が前記第２カーテンで、対向する１対の側面が前記外壁用防水シート又は前記間仕切り用防水シートで、前記第２カーテンに対向する側面が前記第４カーテンで囲まれ着衣場として使用される第３空間が、前記第２空間、前記第１空間、前記第３空間の順に一方向に並べられたものが複数個設けられ、
前記直方体空間は、屋根があるテントの下に設けられることを特徴とする組み立て式シャワー装置。
【請求項５】
前記直方体空間の下部には、防水シートが敷かれ、前記シャワー室で生じた排水の前記防水シートから外部への流出を防ぐため、前記防水シートの端部が、端部以外よりも高くなるように、嵩上げされることを特徴とする請求項４に記載の組み立て式シャワー装置。
【請求項６】
前記直方体空間の下部には、前記着衣場の床面が前記シャワー室の床面よりも嵩上げされた状態で、防水シートが敷かれることを特徴とする請求項４に記載の組み立て式シャワー装置。
【発明の詳細な説明】
【技術分野】
【０００１】
本発明は、組み立て式シャワー装置に関する。
【背景技術】
【０００２】
特許文献１のように、支柱と側面壁と天井壁とを使って個室空間を形成する簡易テントが提案されている。
【先行技術文献】
【特許文献】
【０００３】
【特許文献１】特開２０００−４５５７４号公報
【発明の概要】
【発明が解決しようとする課題】
【０００４】
しかし、天井壁を設け、天井壁と支柱や側面壁との連結を行う必要があり、組み立てや解体の作業が複雑化していた。
【０００５】
したがって本発明の目的は、組み立てや解体が簡単に行えるシャワー装置を提供することである。
【課題を解決するための手段】
【０００６】
本発明に係る組み立て式シャワー装置は、縦支柱と、前縦支柱と連結される横支柱とで形成される直方体空間を備え、直方体空間は、上面が開口し、側面が外壁用防水シート又は第１カーテンで覆われ、間仕切り用防水シートで複数の区画に間仕切りされ、直方体空間には、３つの側面が外壁用防水シート又は間仕切り用防水シートで、１つの側面が第２カーテンで囲まれシャワー室として使用される第１空間と、１つの側面が第２カーテンで、対向する１対の側面が外壁用防水シート又は間仕切り用防水シートで、第２カーテンに対向する側面が第１カーテンで囲まれ脱衣場として使用される第２空間との組み合わせが一方向に複数個並べられたものが１列以上設けられ、直方体空間は、屋根があるテントの下に設けられる。
【０００７】
組み立て式シャワー装置におけるシャワー室（第１空間）や脱衣場（第２空間）の側面は外壁用防水シート又は間仕切り用防水シートや第１カーテンで覆われ内側が見えないようにされるが、上面は開口しているため、上面を閉じる形態に比べて、構造が簡単で、組み立てや解体が容易に行える。また、組み立て式シャワー装置は、屋根があるテントの下に設けられるため、上面が開口していても、上からは内部の構造がのぞけないし、雨なども入らない。また、シャワー室や脱衣場は、開口している上面から乾燥させることが出来るため、シャワー室や脱衣場の湿気を容易に取り除くことが出来る。
【０００８】
また、天井壁を設けないため、必ずしも平均的な人間の身長よりも高めに側面を形成させる必要がなく、少ない面積の防水シートで、シャワー装置を形成することが可能になる。
【０００９】
また、側面は、シート状の外壁用防水シート又は間仕切り用防水シートで構成されるため、解体時には、折りたたんだり、巻物状に収納したりすることが出来る。このため、解体後の部材（支柱、外壁用防水シート、間仕切り用防水シートなど）の持ち運びも容易に出来る。
【００１０】
好ましくは、直方体空間の床面には、脱衣場よりもシャワー室が低く、シャワー室の一方の外側が他方の外側か若しくは中央部のシャワー室よりも低くなるような傾斜をつけた形状を有する床面部の上に、防水シートが敷かれる。
【００１１】
脱衣場よりもシャワー室が低く、シャワー室の一方の外側を他方の外側（若しくは中央部）よりも低くなるような緩い傾斜をつけた形状の上に防水シートを敷いた場合には、脱衣場に排水が侵入したりせず、一方向の一方（又は、両方）の外側に集中して排水させることが出来る。
【００１２】
また、好ましくは、シャワー室に、冷水又は温水を供給するポンプと湯沸かし器を更に備える。
【００１３】
本発明に係る組み立て式シャワー装置は、縦支柱と、縦支柱と連結される横支柱とで形成される直方体空間を備え、直方体空間は、上面が開口し、側面が外壁用防水シート又は第１カーテン又は第１カーテンに平行な第２カーテンで覆われ、間仕切り用防水シートで複数の区画に間仕切りされ、直方体空間には、対向する１対の側面が外壁用防水シート又は間仕切り用防水シートで、対向する１対の側面の一方が第１カーテンと平行な第３カーテンで、他方が第１カーテンと平行な第４カーテンで囲まれシャワー室として使用される第１空間と、１つの側面が第１カーテンで、対向する１対の側面が外壁用防水シート又は間仕切り用防水シートで、第１カーテンに対向する側面が第３カーテンで囲まれ脱衣場として使用される第２空間と、１つの側面が第２カーテンで、対向する１対の側面が外壁用防水シート又は間仕切り用防水シートで、第２カーテンに対向する側面が第４カーテンで囲まれ着衣場として使用される第３空間が、第２空間、第１空間、第３空間の順に一方向に並べられたものが複数個設けられ、直方体空間は、屋根があるテントの下に設けられる。
【００１４】
脱衣場（第２空間）でそれまで着ていた衣服を脱ぎ、シャワー室（第１空間）で体を洗い、着衣室（第３空間）で新しい衣服を着る。このため、シャワー室を使用する前に着ていた衣服は汚染されている可能性があり、シャワー室を使用した後に新しい衣服を着る状況下において、短時間で多くの人にシャワー室を使用させることが可能になる。例えば、シャワー室への入り口（脱衣場）と出口（着衣場）が別で、シャワー室を利用する人の流れを一方通行にして、汚染がシャワーで遮断出来るよう配慮されているため、口蹄疫発生農場などでの作業従事者が着ていた衣服を消毒洗浄や焼却処理し、シャワー室使用後に新しい衣服に着替える状況下で有効に使える。
【００１５】
好ましくは、直方体空間の下部には、防水シートが敷かれ、シャワー室で生じた排水の防水シートから外部への流出を防ぐため、防水シートの端部が、端部以外よりも高くなるように、嵩上げされる。
【００１６】
また、好ましくは、直方体空間の下部には、着衣場の床面がシャワー室の床面よりも嵩上げされた状態で、防水シートが敷かれる。
【発明の効果】
【００１７】
以上のように本発明によれば、組み立てや解体が簡単に行えるシャワー装置を提供することができる。
【図面の簡単な説明】
【００１８】
【図１】第１実施形態、第２実施形態における組み立て式シャワー装置が、屋根があるテントの下に設けられた状態を示す斜視図である。
【図２】第１実施形態における組み立て式シャワー装置の斜視図である。
【図３】第１実施形態における組み立て式シャワー装置における直方体空間の上面図である。
【図４】第１実施形態における縦支柱、横支柱、床面部の位置関係を示す、組み立て前の斜視図である。
【図５】第２実施形態における組み立て式シャワー装置の斜視図である。
【図６】第２実施形態における組み立て式シャワー装置における直方体空間の上面図である。
【図７】第２実施形態における縦支柱、横支柱、床面の防水シートの位置関係を示す、組み立て前の斜視図である。
【図８】第２実施形態における床面の防水シートと、防水シートが取り付けられる横支柱の位置関係を示す側面図である。
【発明を実施するための形態】
【００１９】
以下、第１実施形態における組み立て式シャワー装置１０の構成について、図を用いて説明する。第１実施形態に係る組み立て式シャワー装置１０は、屋根があるテント５の下に設けられ、第１縦支柱１１ａ１〜第６縦支柱１１ａ６、第１横支柱１１ｂ１〜第７横支柱１１ｂ７、外壁用防水シート１３、間仕切り用防水シート１４、第１カーテン１５ａ、第２カーテン１５ｂ、スノコ１７、脱衣籠１８、タンク２１、ポンプ２３、湯沸かし器２５、ホース２７、シャワーヘッド３１を備える（図１〜図４参照）。
【００２０】
なお、図１では、屋根があるテント５として、側面が空いているものを使って説明するが、側面が閉じたものを使用する形態であってもよい。また、図３は、タンク２１、ポンプ２３、湯沸かし器２５を省略している。
【００２１】
方向を示すため、直交する水平方向をｘ方向、ｙ方向とし、ｘ方向とｙ方向に垂直な鉛直方向をｚ方向とする。
【００２２】
第１縦支柱１１ａ１〜第６縦支柱１１ａ６は、ｚ方向に延びる支柱であり、下部分が地面（又は不図示の土台）に固定（または載置）される。
【００２３】
第１縦支柱１１ａ１、第３縦支柱１１ａ３、第５縦支柱１１ａ５は、ｘ方向に等間隔に並べられ、第２縦支柱１１ａ２、第４縦支柱１１ａ４、第６縦支柱１１ａ６は、ｘ方向に等間隔に並べられる。
【００２４】
第１縦支柱１１ａ１と第２縦支柱１１ａ２は、ｙ方向に並べられ、第３縦支柱１１ａ３と第４縦支柱１１ａ４は、ｙ方向に並べられ、第５縦支柱１１ａ５と第６縦支柱１１ａ６は、ｙ方向に並べられる。
【００２５】
第１横支柱１１ｂ１〜第３横支柱１１ｂ３は、ｙ方向に延びる支柱であり、第４横支柱１１ｂ４〜第７横支柱１１ｂ７は、ｘ方向に延びる支柱であり、それぞれの端部が、縦支柱のいずれかの上部と連結される。
【００２６】
なお、図面の簡素化のために、各支柱の形状を直方体形状としているが、円柱形状など他の形状であってもよい。また、縦支柱と横支柱の連結部に、連結状態を補強する補強部材を設ける形態であってもよい。
【００２７】
第１縦支柱１１ａ１、第２縦支柱１１ａ２、第３縦支柱１１ａ３、第４縦支柱１１ａ４、第１横支柱１１ｂ１、第２横支柱１１ｂ２、第４横支柱１１ｂ４、第６横支柱１１ｂ６により第１直方体空間が形成され、第３縦支柱１１ａ３、第４縦支柱１１ａ４、第５縦支柱１１ａ５、第６縦支柱１１ａ６、第２横支柱１１ｂ１、第３横支柱１１ｂ３、第５横支柱１１ｂ５、第７横支柱１１ｂ７により第２直方体空間が形成される。
【００２８】
第１直方体空間、第２直方体空間は、さらにブルーシートなど透過しない防水シートで構成された間仕切り用防水シート１４によって、複数の区画に間仕切りされ、それぞれ４つの小空間（計８つの小空間）が形成される（図２、図３参照）。
【００２９】
第１縦支柱１１ａ１、第２縦支柱１１ａ２、第６縦支柱１１ａ６、第５縦支柱１１ａ５、第１横支柱１１ｂ１、第４横支柱１１ｂ４、第５横支柱１１ｂ５、第３横支柱１１ｂ３、第７横支柱１１ｂ７、第６横支柱１１ｂ６で囲まれた直方体空間（第１直方体空間と第２直方体空間）の上部は、開口する。
【００３０】
直方体空間の側面は、ブルーシートなど透過しない防水シートで構成された外壁用防水シート１３、若しくは、折りたたみや巻き取りなどで収納可能な第１カーテン１５ａで覆われる。
【００３１】
具体的には、第１縦支柱１１ａ１と第２縦支柱１１ａ２は、外壁用防水シート１３で連結され、第３縦支柱１１ａ３と第４縦支柱１１ａ４は、間仕切り用防水シート１４で連結され、第５縦支柱１１ａ５と第６縦支柱１１ａ６は、外壁用防水シート１３で連結される。
【００３２】
外壁用防水シート１３や、間仕切り用防水シート１４は、端部に設けられた紐が縦支柱などに括り付けられることにより、縦支柱など取り付けられる。
【００３３】
また、第１縦支柱１１ａ１と第２縦支柱１１ａ２とを連結する外壁用防水シート１３と、第３縦支柱１１ａ３と第４縦支柱１１ａ４とを連結する間仕切り用防水シート１４との間の第１直方体空間は、直交する２つの間仕切り用防水シート１４で４等分される。
【００３４】
同様に、第３縦支柱１１ａ３と第４縦支柱１１ａ４とを連結する間仕切り用防水シート１４と、第５縦支柱１１ａ５と第６縦支柱１１ａ６とを連結する外壁用防水シート１３との間の第２直方体空間は、直交する２つの間仕切り用防水シート１４で４等分される。
【００３５】
第１縦支柱１１ａ１と第３縦支柱１１ａ３は、２つの第１カーテン１５ａで連結され、第３縦支柱１１ａ３と第５縦支柱１１ａ５は、２つの第１カーテン１５ａで連結され、第２縦支柱１１ａ２と第４縦支柱１１ａ４は、２つの第１カーテン１５ａで連結され、第４縦支柱１１ａ４と第６縦支柱１１ａ６は、２つの第１カーテン１５ａで連結される。
【００３６】
すなわち、第１縦支柱１１ａ１〜第６縦支柱１１ａ６で囲まれた直方体空間は、間仕切り用防水シート１４により、８つの小空間に区切られ、それぞれの小空間は、三つの側面が外壁用防水シート１３又は間仕切り用防水シート１４で囲まれ、残りの側面には、第１カーテン１５ａが設けられ、開閉可能な状態にされる。
【００３７】
それぞれの小空間には、さらに折りたたみや巻き取りなどで収納可能な第２カーテン１５ｂが設けられ、第２カーテン１５ｂと外壁用防水シート１３又は間仕切り用防水シート１４で囲まれた第１空間は、シャワー室として使用され、第１カーテン１５ａと第２カーテン１５ｂと外壁用防水シート１３又は間仕切り用防水シート１４で囲まれた第２空間は、脱衣場として使用される。各脱衣場（第２空間）には、脱衣籠１８が設けられる。
【００３８】
第１カーテン１５ａ、第２カーテン１５ｂは、横支柱などに設けられたカーテンレールの下に取り付けられる。
【００３９】
すなわち、それぞれの小空間には、３つの側面が外壁用防水シート１３又は間仕切り用防水シート１４で、１つの側面が第２カーテン１５ｂで囲まれたシャワー室（第１空間）と、１つの側面が第２カーテン１５ｂで、対向する１対の側面が外壁用防水シート１３又は間仕切り用防水シート１４で、第２カーテン１５ｂに対向する側面が第１カーテン１５ａで囲まれた脱衣場（第２空間）との組み合わせが形成され、かかるシャワー室（第１空間）と脱衣場（第２空間）の組み合わせが１方向（ｘ方向）に複数個並べられたものが、ｙ方向に１列以上設けられる。第１実施形態では、シャワー室（第１空間）と脱衣場（第２空間）の組み合わせが１方向（ｘ方向）に４個並べられたものが、ｙ方向に２列設けられた状態を示す。
【００４０】
ｘ方向と平行であって、第１縦支柱１１ａ１、第２縦支柱１１ａ２、第６縦支柱１１ａ６、第５縦支柱１１ａ５で囲まれた直方体空間を二等分する間仕切り用防水シート１４、すなわち、各シャワー室（第１空間）における第２カーテン１５ｂと対向する間仕切り用防水シート１４の上部には、該直方体空間の外側に配置されたタンク２１からの冷水（又は温水）を各シャワー室に供給するホース２７やシャワーヘッド３１が設けられ、各シャワー室には、シャワーヘッド３１から供給される水の流量を調整する調整弁（不図示）が設けられる。但し、ホース２７は、直方体空間を二等分する間仕切り用防水シート１４の下部を通る形態であってもよい。また、シャワーヘッド３１が設けられる位置は、シャワー室を構成する他の壁面であってもよい。
【００４１】
タンク２１には、各シャワー室で使用する水が貯められ、タンク２１の水は、ポンプ２３によって、ホース２７を介して各シャワー室のシャワーヘッド３１に到達される。また、経路途中には、温水を供給するための湯沸かし器２５が設けられる。各シャワー室には、スノコ１７が設けられる。ポンプ２３や、湯沸かし器２５の電源としては、発電機やバッテリーなどが考えられ、これらはポンプ２３などの近辺に設置される。
【００４２】
なお、各シャワー室に供給する水の温度を別々に制御出来る湯沸かし器２５を設け、各シャワー室には、シャワーヘッド３１から供給される水の流量と温度とを調整する調整弁が設けられる形態であってもよい。また、タンク２１、ポンプ２３、湯沸かし器２５は、該直方体空間の外側に限らず、内側に配置する形態であってもよい。
【００４３】
直方体空間（各シャワー室や、各脱衣場）の床面は、ブルーシートなどの防水シートが設けられる。かかる床面は、水平面と平行な平面形状であって、その上に防水シートを敷き、各シャワー室で生じた排水を自然に外に流す形態でも良いが、脱衣場よりもシャワー室が低く、シャワー室の一方の外側を他方の外側（若しくは中央部）よりも低くなるような緩い傾斜をつけた形状の上に防水シートを敷いた場合には、脱衣場に排水が侵入したりせず、ｙ方向の一方（又は、両方）の外側に集中して排水させることが出来る。
【００４４】
第１実施形態では、図４に示すように、各シャワー室（第１空間）における第２カーテン１５ｂと対向する間仕切り用防水シート１４がある側が、第１カーテン１５ａがある側よりも低くなり、且つ、ｙ方向の一方（タンク２１等が無い側）が、他方（タンク２１等が有る側）よりも低くなるような緩い傾斜を有する形状の底面部４０を設け、その上に防水シートを敷く。これにより、排水が、タンク２１等と接触せずに、ｙ方向の一方に流すことが可能になる。
【００４５】
組み立て式シャワー装置１０におけるシャワー室（第１空間）や脱衣場（第２空間）の側面は外壁用防水シート１３又は間仕切り用防水シート１４や第１カーテン１５ａで覆われ内側が見えないようにされるが、上面は開口しているため、上面を閉じる形態に比べて、構造が簡単で、組み立てや解体が容易に行える。また、第１実施形態に係る組み立て式シャワー装置１０は、屋根があるテント５の下に設けられるため、上面が開口していても、上からは内部の構造がのぞけないし、雨なども入らない。また、シャワー室や脱衣場は、開口している上面から乾燥させることが出来るため、シャワー室や脱衣場の湿気を容易に取り除くことが出来る。
【００４６】
また、天井壁を設けないため、必ずしも平均的な人間の身長よりも高めに側面を形成させる必要がなく、少ない面積の防水シートで、シャワー装置を形成することが可能になる。
【００４７】
また、側面は、シート状の外壁用防水シート１３又は間仕切り用防水シート１４で構成されるため、解体時には、折りたたんだり、巻物状に収納したりすることが出来る。このため、解体後の部材（支柱１１、外壁用防水シート１３、間仕切り用防水シート１４など）の持ち運びも容易に出来る。
【００４８】
なお、第１縦支柱１１ａ１〜第６縦支柱１１ａ６や、外壁用防水シート１３又は間仕切り用防水シート１４で構成される小空間（シャワー室（第１空間）と脱衣場（第２空間）の組み合わせ）の数は、８つに限るものではない。
【００４９】
次に、第２実施形態における組み立て式シャワー装置１０の構成について説明する。第１実施形態では、第２空間の脱衣場が着衣場を兼ねる形態（第１空間と第２空間とで構成される形態）を説明したが、第２実施形態では、第２空間は脱衣場として使用され、新たに設けられた第３空間が着衣場として使用される形態（第１空間〜第３空間で構成される形態）を説明する。以下、第１実施形態と異なる部分を中心に説明する。
【００５０】
第２実施形態に係る組み立て式シャワー装置１０は、屋根があるテント５の下に設けられ、第１縦支柱１１ａ１〜第６縦支柱１１ａ６、第１横支柱１１ｂ１〜第７横支柱１１ｂ７、外壁用防水シート１３、間仕切り用防水シート１４、第１カーテン１５ａ、第２カーテン１５ｂ、第３カーテン１５ｃ、第４カーテン１５ｄ、スノコ１７、脱衣籠１８、タンク２１、ポンプ２３、湯沸かし器２５、ホース２７、シャワーヘッド３１を備える（図１、図５〜図８参照）。
【００５１】
第２実施形態における第１縦支柱１１ａ１〜第６縦支柱１１ａ６、第１横支柱１１ｂ１〜第７横支柱１１ｂ７、外壁用防水シート１３、タンク２１、ポンプ２３、湯沸かし器２５の構成は、第１実施形態と同じである。第２実施形態では、第３空間を別途形成するために、間仕切り用防水シート１４やカーテン（第１カーテン１５ａ、第２カーテン１５ｂ、第３カーテン１５ｃ、第４カーテン１５ｄ）の構成が、第１実施形態のものと異なる。
【００５２】
第１縦支柱１１ａ１、第２縦支柱１１ａ２、第３縦支柱１１ａ３、第４縦支柱１１ａ４、第１横支柱１１ｂ１、第２横支柱１１ｂ２、第４横支柱１１ｂ４、第６横支柱１１ｂ６により第１直方体空間が形成され、第３縦支柱１１ａ３、第４縦支柱１１ａ４、第５縦支柱１１ａ５、第６縦支柱１１ａ６、第２横支柱１１ｂ１、第３横支柱１１ｂ３、第５横支柱１１ｂ５、第７横支柱１１ｂ７により第２直方体空間が形成される。
【００５３】
第１直方体空間、第２直方体空間は、さらにブルーシートなど透過しない防水シートで構成された間仕切り用防水シート１４によって、複数の区画に間仕切りされ、それぞれ２つの小空間（計４つの小空間）が形成される（図５、図６参照）。
【００５４】
直方体空間の側面は、ブルーシートなど透過しない防水シートで構成された外壁用防水シート１３、若しくは、折りたたみや巻き取りなどで収納可能な第１カーテン１５ａ、第２カーテン１５ｂで覆われる。
【００５５】
具体的には、第１縦支柱１１ａ１と第２縦支柱１１ａ２は、外壁用防水シート１３で連結され、第３縦支柱１１ａ３と第４縦支柱１１ａ４は、間仕切り用防水シート１４で連結され、第５縦支柱１１ａ５と第６縦支柱１１ａ６は、外壁用防水シート１３で連結される。
【００５６】
外壁用防水シート１３や、間仕切り用防水シート１４は、端部に設けられた紐が縦支柱などに括り付けられることにより、縦支柱など取り付けられる。
【００５７】
また、第１縦支柱１１ａ１と第２縦支柱１１ａ２とを連結する外壁用防水シート１３と、第３縦支柱１１ａ３と第４縦支柱１１ａ４とを連結する間仕切り用防水シート１４との間の第１直方体空間は、第１縦支柱１１ａ１と第２縦支柱１１ａ２とを連結する外壁用防水シート１３と平行な間仕切り用防水シート１４で２等分される。
【００５８】
第１直方体空間を二等分する間仕切り用防水シート１４は、第４横支柱１１ｂ４の中間地点や、第６横支柱１１ｂ６の中間地点に取り付けられる形態でも良いし、第１縦支柱１１ａ１と第３縦支柱１１ａ３の中間地点や、第２縦支柱１１ａ２と第４縦支柱１１ａ４の中間地点に設けられた縦支柱（不図示）に取り付けられる形態であっても良い。
【００５９】
同様に、第３縦支柱１１ａ３と第４縦支柱１１ａ４とを連結する間仕切り用防水シート１４と、第５縦支柱１１ａ５と第６縦支柱１１ａ６とを連結する外壁用防水シート１３との間の第２直方体空間は、第５縦支柱１１ａ５と第６縦支柱１１ａ６とを連結する外壁用防水シート１３と平行な間仕切り用防水シート１４で２等分される。
【００６０】
第２直方体空間を二等分する間仕切り用防水シート１４は、第５横支柱１１ｂ５の中間地点や、第７横支柱１１ｂ７の中間地点に取り付けられる形態でも良いし、第３縦支柱１１ａ３と第５縦支柱１１ａ５の中間地点や、第４縦支柱１１ａ４と第６縦支柱１１ａ６の中間地点に設けられた縦支柱（不図示）に取り付けられる形態であっても良い。
【００６１】
第１縦支柱１１ａ１と第３縦支柱１１ａ３は、２つの第２カーテン１５ｂで連結され、第３縦支柱１１ａ３と第５縦支柱１１ａ５は、２つの第２カーテン１５ｂで連結され、第２縦支柱１１ａ２と第４縦支柱１１ａ４は、２つの第１カーテン１５ａで連結され、第４縦支柱１１ａ４と第６縦支柱１１ａ６は、２つの第１カーテン１５ａで連結される。
【００６２】
すなわち、第１縦支柱１１ａ１〜第６縦支柱１１ａ６で囲まれた直方体空間は、間仕切り用防水シート１４により、４つの小空間に区切られ、それぞれの小空間は、対向する二つの側面が外壁用防水シート１３又は間仕切り用防水シート１４で囲まれ、別の対向する２つの側面の一方には第１カーテン１５ａが設けられ、他方には第２カーテン１５ｂが設けられ、開閉可能な状態にされる。
【００６３】
それぞれの小空間には、第１カーテン１５ａや第２カーテン１５ｂと平行な位置関係に、折りたたみや巻き取りなどで収納可能な第３カーテン１５ｃ、第４カーテン１５ｄが設けられる。第３カーテン１５ｃと第４カーテン１５ｄと外壁用防水シート１３又は間仕切り用防水シート１４で囲まれた第１空間は、シャワー室として使用される。第１カーテン１５ａと第３カーテン１５ｃと外壁用防水シート１３又は間仕切り用防水シート１４で囲まれた第２空間は、脱衣場として使用される。第２カーテン１５ｂと第４カーテン１５ｄと外壁用防水シート１３又は間仕切り用防水シート１４で囲まれた第３空間は、着衣場として使用される。従って、第２空間と第３空間が第１空間を挟む位置関係になる。
【００６４】
シャワー室（第１空間）、脱衣場（第２空間）と着衣場（第３空間）には、スノコ１７が設けられ、脱衣場（第２空間）と着衣場（第３空間）には、スノコ１７の上に、脱衣籠１８が設けられる。
【００６５】
第１カーテン１５ａ、第２カーテン１５ｂ、第３カーテン１５ｃ、第４カーテン１５ｄは、横支柱などに設けられたカーテンレールの下に取り付けられる。図５〜図７では、第３カーテン１５ｃや第４カーテン１５ｄの上部に横支柱が設けられていないが、かかる部分に、第４横支柱１５ｂ４と平行な横支柱を設ける形態であってもよい。
【００６６】
それぞれの小空間には、対向する１対の側面が外壁用防水シート１３又は間仕切り用防水シート１４で、対向する１対の側面の一方が第３カーテン１５ｃで、他方が第４カーテン１５ｄで囲まれたシャワー室（第１空間）と、１つの側面が第１カーテン１５ａで、対向する１対の側面が外壁用防水シート１３又は間仕切り用防水シート１４で、第１カーテン１５ａに対向する側面が第３カーテン１５ｃで囲まれた脱衣場（第２空間）と、１つの側面が第２カーテン１５ｂで、対向する１対の側面が外壁用防水シート１３又は間仕切り用防水シート１４で、第２カーテン１５ｂに対向する側面が第４カーテン１５ｄで囲まれた着衣場（第３空間）の組み合わせが、第２空間、第１空間、第３空間の順に１方向（ｙ方向）に並べられ、かかる小空間がｘ方向に４つ設けられる。
【００６７】
シャワー室（または、第３カーテン１５ｃや第４カーテン１５ｄ）の上部には、該直方体空間の外側に配置されたタンク２１からの冷水（又は温水）を各シャワー室に供給するホース２７やシャワーヘッド３１が設けられ、各シャワー室には、シャワーヘッド３１から供給される水の流量を調整する調整弁（不図示）が設けられる。但し、ホース２７は、シャワー室の下部を通る形態であってもよい。
【００６８】
直方体空間（各シャワー室や、各脱衣場）の床面は、ブルーシートなどの防水シートが設けられる。かかる床面は、水平面と平行な平面形状であって、その上に防水シートを敷く。
【００６９】
各シャワー室で生じた排水の防水シートから外部への流出を防ぐため、防水シートの端部は、端部以外よりも高くなるように、嵩上げされるのが望ましい。例えば、直方体空間の下部で地表面より高い位置に設けられた横支柱（不図示）などに取り付けられることで、端部が嵩上げされ、囲い壁を形成することが出来る（図８参照）。嵩上げされた防水シートで囲まれた空間に貯まった排水は、ポンプなどで排出される。
【００７０】
また、脱衣場（第２空間）や着衣場（第３空間）の床面が、シャワー室（第１空間）の床面よりも高くなるように、防水シートの脱衣場（第２空間）や着衣場（第３空間）がある部分の下に、板状部材を設けるなどして脱衣場などの床面を嵩上げする（嵩上げされた状態で防水シートを敷く）のが望ましい。特に、シャワー室（第１空間）で洗い終わった体に排水が触れないように、着衣場（第３空間）の床面は、シャワー室（第１空間）よりも高くするのが望ましい（図７参照）。
【００７１】
組み立て式シャワー装置１０におけるシャワー室（第１空間）や脱衣場（第２空間）や着衣場（第３空間）の側面は外壁用防水シート１３又は間仕切り用防水シート１４や第１カーテン１５ａや第２カーテン１５ｂで覆われ内側が見えないようにされるが、上面は開口しているため、上面を閉じる形態に比べて、構造が簡単で、組み立てや解体が容易に行える。また、第２実施形態に係る組み立て式シャワー装置１０は、屋根があるテント５の下に設けられるため、上面が開口していても、上からは内部の構造がのぞけないし、雨なども入らない。また、シャワー室や脱衣場は、開口している上面から乾燥させることが出来るため、シャワー室や脱衣場や着衣場の湿気を容易に取り除くことが出来る。
【００７２】
第２実施形態では、脱衣場（第２空間）でそれまで着ていた衣服を脱ぎ、シャワー室（第１空間）で体を洗い、着衣室（第３空間）で新しい衣服を着る。このため、シャワー室を使用する前に着ていた衣服が汚染されている可能性があり、シャワー室を使用した後に新しい衣服を着る状況下において、短時間で多くの人にシャワー室を使用させることが可能になる。例えば、口蹄疫発生農場などでの作業従事者が着ていた衣服を消毒洗浄や焼却処理し、シャワー室使用後に新しい衣服に着替える状況下で、シャワー室への入り口（脱衣場）と出口（着衣場）が別で、シャワー室を利用する人の流れを一方通行にして、汚染がシャワーで遮断出来るよう配慮された第２実施形態における組み立て式シャワー室１０は有効に使える。
【００７３】
なお、第１縦支柱１１ａ１〜第６縦支柱１１ａ６や、外壁用防水シート１３又は間仕切り用防水シート１４で構成される小空間（シャワー室（第１空間）と脱衣場（第２空間と着衣場（第３空間））の組み合わせ）の数は、４つに限るものではない。
【００７４】
また、第１カーテン１５ａなど、第１実施形態や第２実施形態で使用するカーテンは、出入り口を覆い、開閉可能な間仕切りとして使用される幕を意味し、図２などで示すような蛇腹式のものだけでなく、平板状のものなど他の形状であってもよい。なお、第１実施形態や第２実施形態における第１カーテン１５ａ、第２カーテン１５ｂ、第３カーテン１５ｃ、第４カーテン１５ｄは、位置関係を示すために区別しただけであり、カーテンの機能を果たす限りにおいて、同じ部材を用いてもよいし、異なる部材を用いても良い。
【００７５】
また、補強などのため、テント５と、直方体空間を形成する縦支柱や横支柱が接続する形態であってもよい。また、直方体空間を形成する縦支柱や横支柱は、図４や図７に示すものだけでなく、補強などのため、他の支柱を設ける形態であってもよい。
【００７６】
第１実施形態、第２実施形態における組み立て式シャワー室１０を構成する部材（支柱、防水シート、カーテン、タンク、発電機など）は、それぞれ持ち運び可能なものであり、且つ簡単に入手やメンテナンスが可能である。このため、野原や駐車場など、スペースさえ確保出来れば、簡単に組み立て式シャワー室１０を設置することが可能になる。
【符号の説明】
【００７７】
５  屋根があるテント
１０  組み立て式シャワー装置
１１ａ１〜１１ａ６  第１縦支柱〜第６縦支柱
１１ｂ１〜１１ｂ７  第１横支柱〜第７横支柱
１３  外壁用防水シート
１４  間仕切り用防水シート
１５ａ  第１カーテン
１５ｂ  第２カーテン
１５ｃ  第３カーテン
１５ｄ  第４カーテン
１７  スノコ
１８  脱衣籠
２１  タンク
２３  ポンプ
２５  湯沸かし器
２７  ホース
３１  シャワーヘッド
４０  底面部
【図１】
2012122318.tif 000003
【図２】
2012122318.tif 000004
【図３】
2012122318.tif 000005
【図４】
2012122318.tif 000006
【図５】
2012122318.tif 000007
【図６】
2012122318.tif 000008
【図７】
2012122318.tif 000009
【図８】
2012122318.tif 000010